(57)【要約】【課題】  ノイズや不正行為電波の影響を受けにくくする。【解決手段】  遊技機１は、遊技物を設けてある盤面３２を遊技球が転がり落ちる遊技盤４を備えており、遊技盤４全体の少なくとも盤面３２を導電性部材で形成し、導電性部材をアースしてある。遊技盤４の盤面３２をアースしてあるので、遊技盤４を遊技球が転がり落ちるとき遊技球の静電気を除電することができて、遊技球の静電気によるノイズの影響を受けることがなくなり、誤作動を防止することができる。【選択図】      図２
2005253745.tif 000002
【特許請求の範囲】
【請求項１】
遊技物を設けてある盤面を遊技球が転動落下するようにした遊技盤を備えた遊技機において、
前記遊技盤全体の少なくとも前記盤面を導電性部材で形成し、前記導電性部材をアースしたことを特徴とする遊技機。
【請求項２】
前記盤面に接続された電波検知手段と、
前記電波検知手段が不正電波を検知したとき、前記不正電波を検知したことを報知する電波検知報知手段と、
を備えたことを特徴とする請求項１に記載の遊技機。
【請求項３】
前記遊技盤は、基板と、前記基板に設けたシート状のセルとを有し、前記盤面が前記セルであり、前記セルは導電性部材で形成されていることを特徴とする請求項１又は２に記載の遊技機。
【発明の詳細な説明】
【技術分野】
【０００１】
本発明は、パチンコ機等の遊技機に関し、特に、遊技盤の例えばセルを導電性部材で形成して、遊技球が静電気を帯電しにくくした遊技機に関する。
【背景技術】
【０００２】
一般に、パチンコ機等の遊技機は、始動チャッカー、一般入球口、障害釘等の多数の遊技物（遊技部品）を設けてある遊技盤の盤面を遊技球が転がり落ちるようにした遊技盤を備えている。遊技機遊技機に使用される遊技球は、鉄系合金を主体とした金属材料が使用されている。また、遊技球を貯留する貯留タンクや遊技球が給排出される給排出路等には、アクリロニトリルブタジエンスチレン（ＡＢＳ）樹脂、ポリカーボネート樹脂等の樹脂を使用した成型品が多く使用されている。
【０００３】
このように、遊技球に金属材料が使用され、貯留タンクや給排出路等に樹脂成型品が使用されているため、遊技球は、貯留タンクや給排出路等に接触して擦り合うと静電気を帯びることがある。また、遊技球は、遊技盤の遊技面や遊技物に接触しながら遊技盤の盤面を転がり落ちるときも、静電気を帯びることがある。
【０００４】
一方、デジタルパチンコ等を含む近年の遊技機は、遊技性を高めるため、マイクロプロセッサを備えた主制御基板、サブ制御基板、表示制御基板等の各種の制御基板を備えている。
【０００５】
このため、静電気を帯びた遊技球が遊技盤、貯留タンク、給排出路等を循環するとき静電気による電気的ノイズを発することがあり、場合によっては、上記各種の制御基板がそのノイズによって、誤作動制御を行うおそれがある。
【０００６】
そこで、遊技球から発するノイズによる障害を少なくした遊技機がある（特許文献１参照）。この遊技機は、盤面に取り付けた金属製の外レール又は内レールをアースし、レールに接触した遊技球の静電気を放出するようになっている。
【０００７】
また、最近の傾向として、不正電波を遊技機に向けて発射して、上記各種の制御基板に誤作動を誘発させ、不正な遊技報奨を得る不正行為者（いわゆる、「ゴト師」）が多くなっている。そこで、不正電波を検知する電波検知器を備えた遊技機がある（特許文献２）。この遊技機は、電波検知器で不正電波を検知して、ホール側に不正行為が行われていることを報せるようになっている。
【０００８】
【特許文献１】特開２００３−１１７１９９号公報
【特許文献２】特開２００１−４６７０９号公報
【発明の開示】
【発明が解決しようとする課題】
【０００９】
しかし、外レールと内レールで遊技球の静電気を除去する従来の遊技機は、遊技球を外レールと内レールとで発射直後の僅かな時間しか案内できないので、電気的ノイズを発しない程度まで、遊技球の静電気を除去することができないことがあった。
【００１０】
また、不正行為対策を施した従来の遊技機は、電波検知器を遊技機の外側に付けてある。このため、電波検知器が小型になり、不正遊技者が発する指向性を持たせた不正電波を検知することができないことがあった。
【００１１】
本発明は、遊技球に静電気が帯電されにくくした遊技機を提供することを目的としている。
【００１２】
本発明は、不正遊技者が発する指向性を持たせた不正電波であっても受信して、不正行為を未然に防止する遊技機を提供することを目的としている。
【課題を解決するための手段】
【００１３】
請求項１に係る発明は、遊技物（１１，１２，１３，１４，１５）を設けてある盤面（３２）を遊技球が転動落下するようにした遊技盤（４）を備えた遊技機において、前記遊技盤（４）全体の少なくとも前記盤面（３２）を導電性部材で形成し、前記導電性部材をアースしたことを特徴とする遊技機（１）である。
【００１４】
請求項２に係る発明は、前記盤面（３２）に接続された電波検知手段（４１，１８）（５３，５４）と、前記電波検知手段（４１，１８）（５３，５４）が不正電波を検知したとき、前記不正電波を検知したことを報知する電波検知報知手段（４２）（５７）と、を備えたことを特徴とする請求項１に記載の遊技機（１）である。
【００１５】
請求項３に係る発明は、前記遊技盤（４）は、基板（３１）と、前記基板に設けたシート状のセルとを有し、前記盤面が前記セルであり、前記セル（３２）は導電性部材で形成されていることを特徴とする請求項１又は２に記載の遊技機（１）である。
【００１６】
なお、括弧内の符号は、便宜的に、図面と対照し易くするために付したものであって、本発明の構成をなんら限定するものではない。
【発明の効果】
【００１７】
請求項１に記載の発明は、遊技盤の盤面をアースしてあるので、遊技盤を遊技球が転がり落ちるとき遊技球の静電気を除電することができて、遊技球の静電気によるノイズの影響を受けることがなくなり、誤作動を防止することができる。
【００１８】
請求項２に記載の発明は、遊技盤の盤面に照射された電波を電波検知手段が不正電波として検知したとき、電波検知報知手段によって報知するようになっているので、盤面全体をアンテナの代わりに使用して広範囲で不正電波を受信することができて、不正行為を未然に防ぐことができる。
【００１９】
請求項３に記載の発明は、セルを導電性部材で形成してあるので、セルとアースあるいはアンテナと兼用することができて、構造を簡単にすることができる。
【発明を実施するための最良の形態】
【００２０】
以下、本発明の実施形態の遊技機としてのパチンコ機を図に基づいて説明する。図１は、パチンコ機の正面概略図である。図２は、図１のパチンコ機の右側面図である。（ａ）は、遊技盤を図示した図である。（ｂ）は、遊技盤のアース部分の拡大図である。図３は、図１のパチンコ機の背面図である。図４は、パチンコ機の回路ブロック図である。図５は、他の実施形態の回路ブロック図である。
【００２１】
本パチンコ機１は、後述の発射ハンドルの操作による発射装置（図示せず）の作動で遊技球を遊技盤４上に打ち出しつつ遊技を行うもので、所謂確率変動等の大当たりが発生した状態でアタッカー（大入賞口）１３に入球した遊技球に対応する数の遊技球を払い出すように構成されている。上記確率変動（確変当たり）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２２】
本パチンコ機１は、枠状の筐体２と、遊技盤枠５（図２（ａ）参照）と、前扉３とを備えている。遊技盤枠５は、遊技盤４を有して筐体２の前面を開閉するように筐体２に設けてある。前扉３は、筐体２に遊技基板枠５を開閉自在に設けてある。遊技盤４は、枠状の筐体２内に入り込んでいる。前扉３は、遊技盤４を覆うガラス６を有して遊技盤４を開閉するように筐体２に設けたガラス枠７と、遊技盤枠５の下部を覆って開閉するように筐体２に設けた受け皿８等で構成されている。
【００２３】
図１において、遊技盤４の左方には、発射された遊技球を遊技領域へ案内するガイドレール１０を設けてある。遊技盤４のほぼ中央には、ＬＣＤ（Liquid Crystal Display）等からなり大当たり時の演出等のゲーム態様を表示する遊技表示装置１１を設けてある。この遊技表示装置１１の下方には、スタートチャッカー１２と、大当たり発生時において所定回数の開閉動作を所定数入球する毎（又は所定時間経過する毎）に繰り返すアタッカー１３とを設けてある。その他、遊技盤４には、入賞口１４、風車１５、不図示の障害釘等も設けてある。遊技表示装置１１、スタートチャッカー１２、アタッカー１３、入賞口１４、風車１５、及び障害釘は、遊技物である。
【００２４】
図１に示すように、受け皿８の左側上部には、賞球及び貸球を含む遊技球が供給される球供給口１６を形成してある。受け皿８の右側下部には、遊技球を遊技盤４に向けて打ち出す発射装置を操作する発射ハンドル１７を設けてある。
【００２５】
図３に示すように、遊技盤４の背面には、賞球を貯留してある賞球タンク２１、賞球タンク２１から供給される不図示の賞球を案内する横案内路２２及び縦案内路２３、縦案内路２３を下ってきた賞球を受けて遊技盤４の前面の球供給口１６（図１参照）に案内する背面受け皿２４、表側に遊技表示装置１１を備えた液晶ユニット２５、サブ制御基板２６、パチンコ機全体を制御する主制御基板２７、パチンコ機全体の電源となる電源ユニット２８、賞球の払い出し制御を行う払い出し制御基板２９、発射装置・発射制御基板３０等を備えてある。
【００２６】
主制御基板２７は、パチンコ機全体を制御するため、遊技機１の動作全体を管理するシステムプログラム及び遊技用の実行プログラムが予め記憶された半導体メモリ等からなる記憶部（図示省略）と、これのプログラムを実行するマイクロプロセッサ（ＭＰＵ）１８（図４参照）とを備えている。サブ制御基板２６は、後述する電波検知手段としての電波検知器４１、報知作動回路４２等を備えている。
【００２７】
賞球タンク２１に貯留された遊技球は、発射された遊技球が入球したアタッカー１３、入賞口１４等に応じて、払い出し制御基板２９の制御によって、決められた数だけ排出されて、遊技球横案内路２２、縦案内路２３、背面受け皿２４を経て、球供給口１６から受け皿８に払い出されるようになっている。
【００２８】
図２に示すように、遊技盤４は、木製の基板３１の表面に盤面としてのセル３２を貼り付けて形成されている。セル３２は、遊技盤４の前面全体に貼り付けられて、遊技面(盤面）を形成している。セル３２には、パチンコ機の機種に応じた絵柄や文字がプリントされている。セル３２は、鉄、銅、アルミ等の導電性を有する導電粉末を混入された樹脂製のフイルムである。セル３２の背面には、アース線３２を接続してある。アース線３２は、パチンコホールの床等にアースされている。すなわち、遊技盤４は、アースされていることになる。
【００２９】
このように、遊技盤４をアースすると、次のような利点が生じる。
【００３０】
鉄系合金を主体とした金属製の遊技球が、アクリロニトリルブタジエンスチレン（ＡＢＳ）樹脂、ポリカーボネート樹脂等の樹脂を使用した成型品の賞球タンク２１、横案内路２２、縦案内路２３、背面受け皿２４、及び受け皿８等を転がる間に、あるいは、遊技盤４上のスタートチャッカー１２、アタッカー１３、入賞口１４、風車１５、不図示の障害釘等に接触したときに、遊技球に静電気が帯電するようなことがあっても、その静電気は、遊技球が遊技盤４のセル３２の表面に、あるいは障害釘に接触しながら転がり落ちる間にセル３２、アース線３２を通って除去される。なお、障害釘は、遊技盤４に打ち込まれているため、セル３２に接触してアースされている。
【００３１】
しかも、本実施形態のパチンコ機１は、遊技盤４の遊技面のほぼ全面にセル３２を貼り付けてあるので、遊技球がセル３２に接触している時間が長く、従来よりも、静電気を確実に除去することができる。
【００３２】
したがって、静電気により遊技球から発生するノイズがほとんどなくなり、各種の制御基板、例えば、サブ制御基板２６、主制御基板２７、電源ユニット２８、払い出し制御基板２９、発射装置・発射制御基板３０等は、静電気によるノイズの影響を受けることがなくなり、パチンコ機１が常に正常に動作することになる。
【００３３】
なお、本実施形態のパチンコ機１における遊技盤４には、電波検知器４１を接続してある。この電波検知器４１は、不正行為者（いわゆる、「ゴト師」）が不正電波をパチンコ機１に向けて発射して、上記各種の制御基板に誤作動を誘発させ、不正な遊技報奨を得ようとした場合、遊技盤４に不正電波が照射されたことを検知するようになっている。
【００３４】
電波検知器４１によって不正電波が検知されと、電波検知手段としてのＭＰＵ１８は、不正電波であるか否かを確認して、不正電波と判断したときには、報知作動回路４２によって、電波検知報知手段としての報知ランプ４３を点滅させて、不正行為が行われていることをホール側に報せるようになっている。報知ランプ４２は、ホール係員のみが出入りするホール事務所や、管理室のように、不正行為者の目につかないところに設けてある必要がある。
【００３５】
この場合、遊技盤４のセル３２全面をアンテナの代わりに使用して広範囲で不正電波を受信するようになっているので、従来と異なって、指向性に優れた不正電波であっても確実に検知することができる。しかも、遊技盤４の背面にほとんどの基板を設けてあるので、それらの基板を不正電波から確実に保護することができて、パチンコ機１の誤作動を防止することができる。
【００３６】
なお、不正電波の検知は、図５に示すように、ホール事務所５１において島５２単位で行えるようにしてもよい。この場合、ホール事務所５１の電波検知手段としての電波検知器５３を各パチンコ機１の遊技盤４毎に接続してあり、電波検知器５３が不正電波を検知したとき、電波検知手段としてのＣＰＵ５４が不正電波であるか否かを判断して、報知作動回路５５によって、不正電波を受けているパチンコ機１に対応する報知盤５６の電波検知報知手段としての報知ランプ５７を点灯又は点滅させるようになっている。この場合、集中管理をするため、不正行為の管理が容易になる。また、報知ランプの代わりに音声を発する報知器を使用することができて、常時、報知盤を監視している必要がなく、より一層不正行為の管理が容易になる。
【００３７】
なお、電波検知器４１，５３自体が、不正電波であるか否かを判断して、報知動作回路４２，５５によって、報知ランプ４３，５７を点灯又は点滅させてもよい。
【００３８】
また、セル３２に導電性を備えさせる代わりに、セル３２の表面に導電性を備えた導電塗料を塗っても良い。さらに、基板にセルを貼り付けることなく、基板に直接、絵柄や文字をプリントして、遊技盤全体を鉄、銅、アルミ等の導電性を有する導電粉末を混入された樹脂製の遊技盤にしてもよい。あるいは、金属製の遊技盤にしてもよい。
【図面の簡単な説明】
【００３９】
【図１】本発明の実施形態の遊技機としてのパチンコ機の正面概略図である。
【図２】図１のパチンコ機の右側面図である。（ａ）は、遊技盤を図示した図である。（ｂ）は、遊技盤のアース部分の拡大図である。
【図３】図１のパチンコ機の背面図である
【図４】パチンコ機の回路ブロック図である。
【図５】他の実施形態の回路ブロック図である。
【符号の説明】
【００４０】
１      パチンコ機（遊技機）
１１      遊技表示装置（遊技物）
１２      スタートチャッカー（遊技物）    
１３      アタッカー（遊技物）
１４      入賞口（遊技物）
１５      風車（遊技物）
１８      マイクロプロセッサ（ＭＰＵ）（電波検知手段）  
２１      賞球タンク
２６      サブ制御基板
２７      主制御基板
３１      基板
３２      セル（盤面）
３３      アース線
４１      電波検知器（電波検知手段）
４２      報知作動回路
４３      報知ランプ（電波検知報知手段）
５３      電波検知器（電波検知手段）
５４      ＣＰＵ（電波検知手段）
５５      報知作動回路
５６      報知盤
５７      報知ランプ（電波検知報知手段）
【図１】
2005253745.tif 000003
【図２】
2005253745.tif 000004
【図３】
2005253745.tif 000005
【図４】
2005253745.tif 000006
【図５】
2005253745.tif 000007